(57)【要約】      （修正有）【課題】放射性廃棄物の浮上防止治具を適切な位置に簡易迅速に固定可能とする取付治具を提供する。【解決手段】処理容器内への充填材の充填に伴う放射性廃棄物の浮上を防止するための浮上防止網の固定枠３０を処理容器内に取り付ける際に使用する取付治具であって、処理容器の開口部の外周縁に配置される支持部材２３と、支持部材２３に支持され、固定枠３０に着脱可能に装着可能で、支持部材２３が処理容器の開口部の外周縁に配置された状態で、固定枠３０を処理容器内の固定予定位置に配置する取付部材２５と、支持部材２３と取付部材２５とを支持する上フレーム２１と下フレーム２０と、を備え、上フレーム２１の下面は、支持部材２３の下面と平行に形成され、取付部材２５は、固定枠３０を、下フレーム２０に当接した状態で、装着する。【選択図】図３
0003219468.tif 000002
【実用新案登録請求の範囲】
【請求項１】
処理容器内への充填材の充填に伴う放射性廃棄物の浮上を防止するための浮上防止網の固定枠を前記処理容器内に取り付ける際に使用する取付治具であって、
前記処理容器の開口部の外周縁に配置される支持部材と、
前記支持部材に支持され、前記固定枠に着脱可能に装着可能で、前記支持部材が前記処理容器の開口部の外周縁に配置された状態で、前記固定枠を前記処理容器内の固定予定位置に配置する取付部材と、
前記支持部材と前記取付部材とを支持するフレームと、を備え、
前記フレームの下面は、前記支持部材の下面と平行に形成され、
前記取付部材は、前記固定枠を、前記フレームに当接した状態で、装着する、
取付治具。
【請求項２】
前記支持部材は、前記処理容器の開口部の周縁にその下面が載置され、
前記取付部材は、前記支持部材に支持されて懸下し、先端部に前記固定枠に取り付けられる取付部を備える、
請求項１に記載の取付治具。
【請求項３】
前記フレームは、平行に配置された２本の直線状部と直線状部の端部同士を連結する円弧状部を備える、
請求項１または２に記載の取付治具。
【請求項４】
前記固定枠は、浮上防止網を装着するための装着部を備え、
前記取付部材は、前記装着部に着脱可能に装着される、
請求項１から３の何れか１項に記載の取付治具。
【請求項５】
前記支持部材は、前記処理容器を構成するドラム缶の開口部の縁部に掛け渡し可能なサイズと形状を有し、
前記取付部材は、先端にねじが形成され、前記支持部材に支持されるフランジ部が形成され、下方に懸下した棒状部材から構成され、
さらに、円環状の下フレームと、円環状の上フレームと、前記円環状の下フレームと前記円環状の上フレームとを連結する連結部材と、を備え、前記円環状の上フレームは前記支持部材に固定され、前記円環状の下フレームは、前記固定枠に当接し、
前記円環状の下フレームおよび前記円環状の上フレームは、平面視で前記固定枠に収まるサイズを有し、
前記連結部材は、中を前記棒状部材が挿通しており、
前記連結部材の貫通孔は、前記固定枠に配置された浮上防止網装着用のねじ孔に対向可能な位置に配置されており、作業者が前記棒状部材の上端の屈曲部分を操作して、ねじ込み可能で、ねじ込むと上面が前記円環状の下フレームに当接し、
前記棒状部材が抜けないように、前記フランジ部の移動を制限する移動制限部をさらに、備える、
請求項１に記載の取付治具。
【考案の詳細な説明】
【技術分野】
【０００１】
本考案は、取付治具に関する。
【背景技術】
【０００２】
原子力発電所においては、原子炉の運転・保守管理に伴い、種々の廃棄物が排出される。このうち、金属類、プラスチックおよびフィルタ類等の低レベル放射性廃棄物（ＬＬＷ）は、ドラム缶などの処理容器に収納される。そして、セメント系充填材（モルタル）を処理容器内に充填して、空隙部分を埋め、固型化する。固型化後、この処理容器に蓋をし、所外の貯蔵施設や処分施設に搬送されて埋設される。
【０００３】
処理容器に充填材を充填する際、ケーブル、塩化ビニル類などの比重が小さい廃棄物が、充填材の上面に浮き上がってしまう。このため、そのまま充填材を固型化すると、充填材の表面に放射性廃棄物が露出し、放射性廃棄物を充填材内に密閉して固型化することが困難となる。
【０００４】
そこで、放射性廃棄物を処理容器に投入した後に、浮上防止治具を処理容器の内周面に係止し、固化材を浮上防止治具の上まで充填することにより、放射性廃棄物の浮上を防止する技術が開発されている（例えば、特許文献１参照）。
【先行技術文献】
【特許文献】
【０００５】
【特許文献１】特許第５５３０６０４号公報
【考案の概要】
【考案が解決しようとする課題】
【０００６】
従来、浮上防止治具を処理容器に固定する作業は、作業者の感覚に頼ってなされている。このため、浮上防止治具が処理容器内の不適切な位置に固定されたり、傾いた状態で固定されてしまうおそれがあった。
また、作業者の作業負担も大きく、作業時間が長くかかっていた。
【０００７】
本考案は、上記実情に鑑みてなされたものであり、放射性廃棄物の浮上防止治具を適切な位置に簡易、迅速に固定可能とすることを目的とする。
【課題を解決するための手段】
【０００８】
本考案者は上記課題に鑑み鋭意検討を行った。その結果、本考案者は、下記の構成を有する取付治具の使用によって、作業者の感覚に頼ることなく、放射性廃棄物の浮上防止のために用いられる固定枠を、処理容器の輪帯部に簡易、迅速に固定できることを見出した。
また、本考案者は、本取付治具の使用によって、作業者が固定枠を手で保持することなく、固定枠を処理容器の輪帯部に簡易、迅速に固定できることを見出した。
本考案はこれらの知見に基づき完成されるに至ったものである。
【０００９】
本考案は、処理容器内への充填材の充填に伴う放射性廃棄物の浮上を防止するための浮上防止網の固定枠を前記処理容器内に取り付ける際に使用する取付治具であって、
前記処理容器の開口部の外周縁に配置される支持部材と、
前記支持部材に支持され、前記固定枠に着脱可能に装着可能で、前記支持部材が前記処理容器の開口部の外周縁に配置された状態で、前記固定枠を前記処理容器内の固定予定位置に配置する取付部材と、
前記支持部材と前記取付部材とを支持するフレームと、を備え、
前記フレームの下面は、前記支持部材の下面と平行に形成され、
前記取付部材は、前記固定枠を、前記フレームに当接した状態で、装着する、
取付治具に関する。
【考案の効果】
【００１０】
本考案の取付治具は、作業者が自らの感覚に頼ることなく処理容器内での放射性廃棄物の浮上防止に用いられる固定枠を処理容器内の輪帯部に簡易、迅速に固定可能にする。
また、本考案の取付治具は、作業者が固定枠と着脱させることが容易であるため、作業者の作業負担をさらに減少させ、作業時間を減少させることもできる。
【図面の簡単な説明】
【００１１】
【図１】本考案の実施の形態に係る取付治具の概略図である。
【図２】本考案の実施の形態に係る取付治具の斜視図である。
【図３】本考案の実施の形態に係る取付治具を浮上防止網の固定枠に固定した状態の斜視図である。
【図４】本考案の実施の形態に係る取付治具を浮上防止網の固定枠に固定した状態の平面図である。
【図５】本考案の実施の形態に係る取付治具を浮上防止網の固定枠に固定する様子を示す斜視図である。
【図６】本考案の実施の形態に係る取付治具の取付部材と支持部材と下フレームと上フレームの拡大斜視図である。
【図７】本考案の実施の形態に係る取付治具と固定枠の結合体を処理容器に収容する様子を示す斜視図である。
【図８】本考案の実施の形態に係る取付治具と固定枠と処理容器の輪帯部との位置関係を示す図である。
【図９】本考案の実施の形態に係る固定部材を処理容器の輪帯部に挿入した状態の固定枠を示す図である。
【図１０】本考案の実施の形態に係る浮上防止治具の斜視図である。
【図１１】本考案の実施の形態に係る取付治具の支持部材の変形例の図であって、（Ａ）はＸ字形状の支持部材、（Ｂ）はＹ字形状の支持部材、および（Ｃ）はＵ字形状の支持部材を示す。
【図１２】本考案の実施の形態に係る取付治具のフレームの変形例の図であって、（Ａ）は直線状のフレーム、（Ｂ）は三角形状のフレームを示す。
【図１３】本考案の実施の形態に係る取付治具がフックによって固定枠を吊り下げる状態を示す模式図である。
【考案を実施するための形態】
【００１２】
以下、本考案の実施の形態に係る取付治具について、図面を参照して説明する。
【００１３】
まず、本実施の形態に係る取付治具の使用方法を説明する。
本取付治具は、従来技術で説明した浮上防止治具の固定枠を処理容器に取り付けるためのものである。
なお、以下の説明において処理容器を、ドラム缶であるとする。
【００１４】
まず、図１（Ａ）に示す固定枠３０と取付治具１０とを、図１（Ｂ）に示すように相互に連結する。
【００１５】
次に、図１（Ｃ）に示すように、連結された固定枠３０と取付治具１０を処理容器５０に収納する。
【００１６】
取付治具１０は、その上端部が、処理容器５０の開口よりも大径に形成されており、図１（Ｄ）に示すように、取付治具１０は、上端部が処理容器５０の開口部に係止され、処理容器５０の上端で位置が規定される。それに伴い、固定枠３０は、処理容器５０の上端から一定の距離下がった位置に水平状態で保持される。なお、取付治具１０は、固定枠３０が、処理容器５０内の固定位置に留まるように、その水平度および高さが予め設定されている。
【００１７】
この状態で、固定枠３０が備えている固定部材２９により、固定枠３０を処理容器５０の内面に固定する。
【００１８】
続いて、図１（Ｅ）に示すように、取付治具１０を固定枠３０から取り外し、処理容器５０から取り出す。
【００１９】
この状態で、図１（Ｆ）に示すように、放射性廃棄物６０を処理容器５０内に投入する。
【００２０】
放射性廃棄物６０の投入が終了すると、図１（Ｇ）に示すように、浮上防止網４０を固定枠３０に固定する。
【００２１】
次に、図１（Ｈ）に示すように、浮上防止網４０を介して処理容器５０内にモルタル等の充填材８０を充填する。この際、ケーブル、塩化ビニル類等の比重の小さい廃棄物が浮き上がるが、浮上防止網４０で制限されるため、処理容器５０の上端部までは浮上しない。処理容器５０の上端まで充填材８０を充填した後、充填材８０を固型化する。
【００２２】
最後に、図１（Ｉ）に示すように、処理容器５０の開口を蓋７０で閉じて、収容処理が終了する。
【００２３】
その後、処理容器５０は、外部の貯蔵施設、処分施設などに移送される。
【００２４】
次に、上述の取付治具１０の詳細を図２〜図９を参照して説明する。
【００２５】
図２に示すように、取付治具１０は、下フレーム２０と、上フレーム２１と、４本の連結部材２２と、一対の支持部材２３と、抑え部材２４と、取付部材２５と、を備える。
【００２６】
下フレーム２０は、固定枠３０の上面に当接するフレーム部材であり、環状の平板から構成されている。下フレーム２０は両端部が処理容器５０の内面に沿った円弧状に形成され、両円弧状部を接続する直線状部は直線状に形成されている。円弧状部の外径は固定枠３０の外径とほぼ等しくされており、処理容器５０内に容易に収納できるサイズである。
【００２７】
上フレーム２１は、下フレーム２０とほぼ同一の外形形状を有する環状の平板から構成されている。
【００２８】
連結部材２２は、下フレーム２０と上フレーム２１とが、互いに平行となるように相互に固定する。連結部材２２は、スペーサとして機能し、下フレーム２０と上フレーム２１との間隔を、一定の間隔に固定する。
【００２９】
連結部材２２は、中心に貫通孔を有するパイプ状に形成されており、その内部に取付部材２５が挿通される。連結部材２２は、固定枠３０の後述する装着部２８に、その貫通孔が対向する位置に合計４つ配置されている。
【００３０】
支持部材２３は、中空の直方体から形成される。各支持部材２３は、上フレーム２１の直線状の部分に、互いに平行となるように重ねて固定され、処理容器５０の開口部に掛け渡し可能な長さを有する。
【００３１】
下フレーム２０、上フレーム２１および支持部材２３の、連結部材２２の貫通孔と対向する位置には、取付部材２５が挿通する貫通孔が形成されている。
【００３２】
抑え部材２４は、支持部材２３の貫通孔形成位置に配置され、側面視でコ字状に成型された平板から形成され、支持部材２３に固定されている。換言すると、抑え部材２４は、上面が平坦な中空の突状に支持部材２３の上面に固定されている。抑え部材２４の上面には、取付部材２５が通過する切り欠き部が形成されている。また、図６〜図８に示すように、抑え部材２４と支持部材２３との間に形成される空間には、取付部材２５に形成されたフランジ部２６が配置され、移動制限部として、取付部材２５の移動範囲を制限し、また、脱落防止機構として、取付部材２５の脱落を防止している。
【００３３】
取付部材２５は、図５に示すように、上端部分が直角に屈曲したＬ字状の棒状部材であり、上端部近傍にフランジ部２６が形成されている。
取付部材２５の先端部には、図６に示すように、固定枠３０の上面に形成された装着部の雌ねじに螺号する雄ねじ２５ａが形成されている。
【００３４】
取付部材２５の、フランジ部２６の下面から雄ねじ２５ａの根元までの長さは、支持部材２３の上面から下フレーム２０の下面までの長さに等しい、またはわずかに短い。
【００３５】
取付部材２５の脚部分は連結部材２２の貫通孔に挿通されており、その先端部は、下フレーム２０の下面に露出している。また、フランジ部２６は支持部材２３の上面と抑え部材２４との間に位置する。このため、取付部材２５は、フランジ部２６が移動可能な範囲で上下方向に移動可能である。
作業者は、取付部材２５の操作部として上端部分を把持する。このため、作業者は別途工具を使用することなく作業を進めることができる。
【００３６】
取付治具１０は、下フレーム２０と上フレーム２１と４本の連結部材２２と一対の支持部材２３と抑え部材２４とを、それぞれ、炭素鋼、樹脂等から形成した後、これらを相互に溶接或いは溶着すること等により互いに固定して形成される。なお、材質と製造手順は、強度が確保されるならば、任意に変更可能である。
【００３７】
次に、固定枠３０について説明する。
固定枠３０は、図１を参照して説明したように、処理容器５０の内面に固定され、その上面に浮上防止網４０が装着される部材である。
【００３８】
固定枠３０は、図５に示すように、円環状の下フレーム３１と円環状の上フレーム３２と、下フレーム３１と上フレーム３２とを接続する連結部材３３と、を備える。
【００３９】
固定枠３０の連結部材３３は、平面視で９０°回転対称の位置に配置されている。
【００４０】
固定枠３０の連結部材３３には六角ボルト９０が螺号している。
【００４１】
六角ボルト９０の先端部には、平板状の固定部材２９が回動可能に支持されている。六角ボルト９０の回転に伴って、この六角ボルト９０が下フレーム３１と上フレーム３２の径方向に移動し、これにより、固定部材２９も径方向に移動可能である。
【００４２】
六角ボルト９０と固定部材２９は、図９に示すように、固定枠３０が取付治具１０により処理容器５０内に配置された際に、処理容器５０の輪帯部３１ａに対向する位置に配置されている。
【００４３】
固定枠３０の上フレーム３２の上面には、６０°回転対称の位置に装着部２８が形成されている。装着部２８は、ねじ孔から構成され、本来的には、浮上防止網４０をねじ留めするためのものであり、図１０に示すように、浮上防止網４０が装着される。取付治具１０は、この装着部２８を利用して、固定枠３０に装着される。このように、浮上防止網４０をねじ留めするための装着部２８を取付治具１０の装着に使用することができるため、固定枠３０に新たな構造を施さなくてもよい。
【００４４】
取付治具１０は、固定枠３０への取り付けに、この装着部２８を利用できるように、４つの取付部材２５の先端が、固定枠３０の上フレーム３２の任意の４つの装着部２８に対向する位置に配置されている。
【００４５】
次に、取付治具１０を用いて、固定枠３０を処理容器５０に装着する手順の詳細を説明する。
【００４６】
図３〜図５に示すように、浮上防止網４０が装着されていない固定枠３０上に取付治具１０を配置し、取付部材２５の先端が固定枠３０の何れか４つの装着部２８に対向するように位置合わせする。なお、図５では、位置関係をわかり易くするため、取付部材２５を取付治具１０と分離して示すが、取付部材２５は、取付治具１０から取り外すことはできない。
【００４７】
続いて、取付部材２５を回転し、取付部材２５先端の雄ねじ２５ａを固定枠３０の装着部２８の雌ねじに螺合し、固定枠３０の上に取付治具１０を装着する。この段階では、固定枠３０の上面に取付治具１０の下フレーム２０が当接し、がたつきなどが防止される。
【００４８】
次に、図７に示すように、固定枠３０と取付治具１０の結合体を処理容器５０に収容する。このとき、支持部材２３の両端部が処理容器５０の開口端に載置され、支持部材２３が処理容器５０の開口部に掛け渡され、固定枠３０が取付部材２５により支持部材２３に吊り下げられて、固定予定位置に配置された状態となる。ただし、下フレーム２０に固定枠３０の上面が当接するため、固定枠３０がぐらつくことはなく、その水平度も高精度で維持される。
【００４９】
この状態では、図８に示すように、固定部材２９は、処理容器５０の輪帯部３１ａに対向している。作業者は、４つの六角ボルト９０を回転させて、４つの固定部材２９をそれぞれ外径方向に移動させ、図９に示すように、固定部材２９を輪帯部３１ａ内に押し込む。これにより、固定枠３０が処理容器５０内の所定位置に固定される。
【００５０】
続いて、取付部材２５を回転させて、先端の雄ねじ２５ａと装着部２８の螺合を解く。続いて、固定枠３０を留置したまま、取付治具１０を処理容器５０内から取り出す。
【００５１】
続いて、図１（Ｆ）に示すように、放射性廃棄物６０を処理容器５０内に投入する。
【００５２】
放射性廃棄物６０の投入が終了すると、図１（Ｇ）および図１０に示すように、浮上防止網４０を、固定枠３０の装着部に雄ねじ４１によってねじ留めして、固定枠３０に取り付ける。
【００５３】
次に、図１（Ｈ）に示すように、浮上防止網４０を介して処理容器５０内にモルタル等の充填材８０を充填する。この際、ケーブルや塩化ビニル類などの比重の小さい廃棄物は、浮き上がるが、浮上防止網４０で制限されるため、処理容器５０の上部までは浮上しない。処理容器５０の上端まで充填材８０を充填した後、充填材８０を固型化する。
【００５４】
最後に、図１（Ｉ）に示すように、処理容器５０の開口を蓋７０で閉じて、収容処理が終了する。
【００５５】
その後、処理容器５０は、外部の保管施設などに移送される。
【００５６】
以上説明したように、本実施の形態によれば、取付部材２５の操作部を操作することにより、取付治具１０を固定枠３０上に簡単に取り付けることができる。
【００５７】
さらに、固定枠３０が装着された取付治具１０を処理容器５０に投入するだけで、固定枠３０を処理容器５０の適切な位置に正確に配置し、固定することが可能となる。
【００５８】
また、下フレーム２０および上フレーム２１が、中央部がくり抜かれた円環状であるため、全体として、軽量で、固定部材２９を固定する動作が容易である。また、支持部材２３が中空の直方体形状であるため、強度を確保しつつ軽量化が可能である。また、下フレーム２０および上フレーム２１が直線部分を有するため、フレーム全体が円形の場合と比較して、小型化が可能となる。
【００５９】
図２に示すように、下フレーム２０と、上フレーム２１と、連結部材２２と、支持部材２３と、抑え部材２４とが一体化されており、さらに、フランジ部２６により取付部材２５の脱落が防止されている。このため、取付治具１０を構成する部品が脱落する恐れがなく、低レベル放射性廃棄物の発生を抑えることができる。
【００６０】
また、取付部材２５が、連結部材２２を貫通しているので、取付部材２５の縦方向以外の動きを抑制でき、取り扱いが容易である。
【００６１】
固定枠３０の上面に形成された、浮上防止網４０固定用の装着部２８に取付部材２５の先端の雄ねじ２５ａを螺合して取付治具１０を固定するので、固定枠３０に新たな加工を施す必要がない。
【００６２】
なお、この考案は、上記実施の形態に限定されず、種々の変形および応用が可能である。
【００６３】
例えば、上記実施の形態において、支持部材２３として、中空の角材を例示したが、円筒部材や板材等でもよい。また、支持部材２３を２本ほぼ平行に配置する例を示したが、処理容器５０の開口部に載置できるならば、その形状とサイズは任意である。例えば、図１１（Ａ）〜（Ｃ）に例示するように、平面視でＸ字状或いはＹ字状、或いは、２つのＵ字状に支持部材２３を形成してもよい。
【００６４】
また、フレーム２０，２１の形状も、固定枠３０を支持できれば任意であり、図１２（Ａ）および（Ｂ）に例示するように、直線状、或いは、三角形状等でもよい。また、平面視で、フレーム２０，２１の円弧状部の外縁が固定枠３０の外縁とほぼ重なる例を例示したが、フレーム２０，２１は、その外縁が固定枠３０の外縁に収まる（より小さい）サイズであってもよい。また、処理容器５０に収容可能ならば、固定枠３０の外縁より大きいサイズを有していてもよい。
【００６５】
フレーム２０と２１とを一定の間隔で固定するために、連結部材２２を使用したが、他の部材により、両フレームの間隔を設定および固定してもよい。
【００６６】
また、取付部材２５として、Ｌ字状の棒状部材を使用した。これは、頭部の屈曲部分を操作部として使用することにより、工具を使用することなく、固定枠３０への装着を可能とするためである。しかしこれに限定されず、取付治具１０を固定枠３０に固定できるならば、その構造は任意である。例えば、フランジ２６を備え、先端部に雄ねじ２５ａが形成された棒状の部材を使用してもよい。この場合、棒状部材を工具を用いて、回転等すればよい。
【００６７】
また、取付部材２５を使用し、支持部材２３に固定枠３０を吊り下げる構成を採用したが、取付治具１０に固定枠３０を固定できるならば、その構成は任意である。
【００６８】
例えば、下フレーム２０に、装着部２８に螺合するボルトを配置し、下フレーム２０に固定枠３０を係止するようにしてもよい。
【００６９】
また、図１３に示すように、下フレーム２０に固定枠３０の上フレーム３２等を係止するフック５１を配置し、フック５１で固定枠３０を係止するようにしてもよい。
【００７０】
または、処理容器５０としてドラム缶を例示したが、処理容器の種類は任意である。
【００７１】
以上、本考案に係る取付治具の実施の形態を説明してきたが、本考案は、上記説明により限定して解釈されるものではない。
【符号の説明】
【００７２】
１０    取付治具
２０    下フレーム
２１    上フレーム
２２    連結部材
２３    支持部材
２４    抑え部材
２５    取付部材
２５ａ  雄ねじ
２６    フランジ部
２８    装着部
２９    固定部材
３０    固定枠
３１ａ  輪帯部
３１    下フレーム
３２    上フレーム
３３    連結部材
４０    浮上防止網
４１    雄ねじ
５０    処理容器
５１    フック
６０    放射性廃棄物
７０    蓋
８０    充填材
９０    六角ボルト
【図１】
0003219468.tif 000003
【図２】
0003219468.tif 000004
【図３】
0003219468.tif 000005
【図４】
0003219468.tif 000006
【図５】
0003219468.tif 000007
【図６】
0003219468.tif 000008
【図７】
0003219468.tif 000009
【図８】
0003219468.tif 000010
【図９】
0003219468.tif 000011
【図１０】
0003219468.tif 000012
【図１１】
0003219468.tif 000013
【図１２】
0003219468.tif 000014
【図１３】
0003219468.tif 000015